(57)【要約】      （修正有）【課題】誰でも作業にあたることができる簡単な構造であり、組立・解体作業を迅速に行うことができ、可搬性にも優れ、低コストであり、さらに機械的な構造の複雑さに伴う取り扱いにくさや点検修理の必要性もないパーテーション構造を提供する。【解決手段】パーテーション構造１０は、幕体１と、幕体１を巻いた状態で収容可能な長尺の筐体４と、筐体４の蓋とからなり、幕体１は筐体４とは分離していて幕２およびこれに設けられた複数の支柱３Ａ等からなり、筐体４の内側には各支柱３Ａ等を立てるための支柱支持部５Ａ等が設けられており、筐体４の底部には該支柱支持部５Ａ等に支柱３Ａ等を立てて幕体１を張った際の幕体１の倒れを防止する脚部６Ｘ等が設けられている構成である。【選択図】図５
2016089396.tif 000002
【特許請求の範囲】
【請求項１】
幕体と、該幕体を巻いた状態で収容可能な長尺の筐体と、該筐体の蓋とからなるパーテーション構造であって、該幕体は幕およびこれに設けられた複数の支柱からなり、該筐体の内側には各支柱を立てるための支柱支持部が設けられており、該筐体の底部には該支柱支持部に該支柱を立てて該幕体を張った際の該幕体の倒れを防止する脚部が設けられていることを特徴とする、パーテーション構造。
【請求項２】
前記幕体は、前記筐体とは分離していることを特徴とする、請求項１に記載のパーテーション構造。
【請求項３】
前記支柱は、少なくとも前記幕の両端部に設けられていることを特徴とする、請求項１または２に記載のパーテーション構造。
【請求項４】
前記脚部は複数設けられていて、前記筐体の長手方向と交わる方向に回動可能に設けられた板であることを特徴とする、請求項１ないし３のいずれかに記載のパーテーション構造。
【請求項５】
前記支柱支持部は前記支柱を直立させて嵌め込む凹構造を有してなることを特徴とする、請求項１ないし４のいずれかに記載のパーテーション構造。
【請求項６】
前記蓋は前記筐体とは分離しており、該蓋の内側には前記支柱の上端側と連結して梁構造を形成するための支柱受け部が設けられていることを特徴とする、請求項１ないし５のいずれかに記載のパーテーション構造。
【請求項７】
前記筐体と前記蓋とを密着状態にするための閉じ手段が設けられていることを特徴とする、請求項１ないし６のいずれかに記載のパーテーション構造。
【請求項８】
前記閉じ手段は前記筐体と蓋とを外側から緊縛するバンドであることを特徴とする、請求項７に記載のパーテーション構造。
【請求項９】
前記幕には開口形成可能な開口用領域が設けられていることを特徴とする、請求項１ないし８のいずれかに記載のパーテーション構造。
【請求項１０】
前記幕には少なくとも一方の側端部に張り出した耳部が設けられていることを特徴とする、請求項１ないし９のいずれかに記載のパーテーション構造。
【請求項１１】
請求項１ないし１０のいずれかに記載のパーテーション構造によりパーテーションを形成する方法であって、前記筐体から前記幕体を取出し、前記脚部により倒れ防止がなされる状態とし、前記支柱を前記支柱支持部に立てることによって該幕体が張られた状態とする、パーテーション形成方法。
【請求項１２】
請求項１ないし１０のいずれかに記載のパーテーション構造を一または複数用いて区画された空間を形成する、空間区画方法。
【請求項１３】
請求項１ないし１０のいずれかに記載のパーテーション構造を一または複数用いて形成される、区画された空間。
【発明の詳細な説明】
【技術分野】
【０００１】
本発明はパーテーション構造、パーテーション形成方法、空間区画方法、および区画された空間に係り、特に、可搬性に優れ、簡素な構造であって、組立・解体が容易なパーテーション構造等に関するものである。
【背景技術】
【０００２】
事業所、居住空間、イベント空間、あるいは災害時の避難所など、主として屋内空間を一時的に、または一定期間仕切るためのパーテーションについては、従来から複数の技術的提案がなされている。たとえば後掲特許文献１には、パーテーション部材を容易に露出・退避させることのできるパーテーション装置として、枢支部材、一対の支柱、幕体、棒体を備え、棒体は幕体の縦方向一端部を保持し、枢支部材は一対の枢支部を水平面内で所定間隔を設けて配置し、支柱は長手方向の両端部をそれぞれ基端部、開放端部とし、基端部が枢支部で収納位置と支持位置との間に回転自在に支持され、支柱は棒体の両端部のそれぞれを長手方向の所定範囲内で移動自在・回転自在に保持し、所定範囲内の開放端部側で棒体の基端部側への移動を選択的に規制する規制部を備えるという構成が開示されている。
【０００３】
また特許文献２には、小容積、運搬・搬入容易、組立て容易な折畳式パーテーションとして、 上方に開放する細長いスクリーン収納用筐体を持ち、床面に安定起立させるための回動する脚部を筐体の底面に設け、筐体内両端に内向きにサイドアームを有し、サイドアームはその下端を固定するピンを軸として回動することで直立するよう形成され、両サイドアームの上端部間に渡って架けるためのバネによる巻取り式の布生地が筐体内に収容されている、という構成が開示されている。
【先行技術文献】
【特許文献】
【０００４】
【特許文献１】特開２０１１−５０６６２号公報「パーテーション装置」
【特許文献２】特開２０１１−８７８８６号公報「折畳式パーテーション」
【発明の概要】
【発明が解決しようとする課題】
【０００５】
さて、災害時の避難所やイベント会場におけるパーテーションの組立・解体には、誰でも作業にあたれるような簡単さや迅速性、可搬性の良さが求められるとともに、構造上の簡素さも求められる。殊に避難所開設の場合などは、仕切られた私的空間を多数設けなくてはならず、それには多くのパーテーションを準備しておくことを要するため、低コストであることが重要であり、また、機械的な構造の複雑さに伴う取り扱いにくさや点検修理の必要性を極力回避できることが望ましいからである。しかしながら、上記特許文献開示技術も含め従来技術では、かかる要請を十分満たすことができなかった。
【０００６】
そこで本発明が解決しようとする課題は、かかる従来技術の問題点を踏まえ、誰でも作業にあたることができる簡単な構造であり、組立・解体作業を迅速に行うことができ、可搬性にも優れ、低コストであり、さらに機械的な構造の複雑さに伴う取り扱いにくさや点検修理の必要性もない、パーテーション構造等を提供することである。
【課題を解決するための手段】
【０００７】
本願発明者は上記課題について検討した結果、支柱や幕といったパーテーションの機能部分を、収容する筐体と機械的に一体化させて自動性を重視した構造とするのではなく、低負荷の簡単な手作業を前提として要素を分離することによって、当該課題解決が可能であることに想到し、それを基礎として本発明に至った。すなわち、上記課題を解決するための手段として本願で特許請求される発明、もしくは少なくとも開示される発明は、以下の通りである。
【０００８】
〔１〕  幕体と、該幕体を巻いた状態で収容可能な長尺の筐体と、該筐体の蓋とからなるパーテーション構造であって、該幕体は幕およびこれに設けられた複数の支柱からなり、該筐体の内側には各支柱を立てるための支柱支持部が設けられており、該筐体の底部には該支柱支持部に該支柱を立てて該幕体を張った際の該幕体の倒れを防止する脚部が設けられていることを特徴とする、パーテーション構造。
〔２〕  前記幕体は、前記筐体とは分離していることを特徴とする、〔１〕に記載のパーテーション構造。
〔３〕  前記支柱は、少なくとも前記幕の両端部に設けられていることを特徴とする、〔１〕または〔２〕に記載のパーテーション構造。
〔４〕  前記脚部は複数設けられていて、前記筐体の長手方向と交わる方向に回動可能に設けられた板であることを特徴とする、〔１〕ないし〔３〕のいずれかに記載のパーテーション構造。
【０００９】
〔５〕  前記支柱支持部は前記支柱を直立させて嵌め込む凹構造を有してなることを特徴とする、〔１〕ないし〔４〕のいずれかに記載のパーテーション構造。
〔６〕  前記蓋は前記筐体とは分離しており、該蓋の内側には前記支柱の上端側と連結して梁構造を形成するための支柱受け部が設けられていることを特徴とする、〔１〕ないし〔５〕のいずれかに記載のパーテーション構造。
〔７〕  前記筐体と前記蓋とを密着状態にするための閉じ手段が設けられていることを特徴とする、〔１〕ないし〔６〕のいずれかに記載のパーテーション構造。
〔８〕  前記閉じ手段は前記筐体と蓋とを外側から緊縛するバンドであることを特徴とする、〔７〕に記載のパーテーション構造。
【００１０】
〔９〕  前記幕には開口形成可能な開口用領域が設けられていることを特徴とする、〔１〕ないし〔８〕のいずれかに記載のパーテーション構造。
〔１０〕  前記幕には少なくとも一方の側端部に張り出した耳部が設けられていることを特徴とする、〔１〕ないし〔９〕のいずれかに記載のパーテーション構造。
〔１１〕  〔１〕ないし〔１０〕のいずれかに記載のパーテーション構造によりパーテーションを形成する方法であって、前記筐体から前記幕体を取出し、前記脚部により倒れ防止がなされる状態とし、前記支柱を前記支柱支持部に立てることによって該幕体が張られた状態とする、パーテーション形成方法。
〔１２〕  〔１〕ないし〔１０〕のいずれかに記載のパーテーション構造を一または複数用いて区画された空間を形成する、空間区画方法。
〔１３〕  〔１〕ないし〔１０〕のいずれかに記載のパーテーション構造を一または複数用いて形成される、区画された空間。
【発明の効果】
【００１１】
本発明のパーテーション構造等は上述のように構成されるため、これによれば、誰でも作業にあたることができる簡単な構造であり、組立・解体作業を迅速に行うことができ、可搬性にも優れ、また低コストであるため導入されやすく、さらに機械的な構造の複雑さに伴う取り扱いにくさや点検修理の必要性がなくて便利である。
【００１２】
本発明のパーテーション構造等は、支柱や幕といったパーテーションの機能部分を、収容する筐体と機械的に一体化させて自動性を重視した構造とするのではなく、低負荷の簡単な手作業を前提として構成されている。したがって、本発明によるパーテーション形成は、労力の少ない簡単な手作業によって可能であり、初めて組立・解体する者であっても、一基あたり１〜２分程度で行うことが可能である。
【００１３】
また本発明のパーテーション構造は、従来技術のようなクランプ構造やバネ構造等といった、装置的要素、機械的要素を用いずに構成できるため、その分軽量化に有利であり、可搬性（運搬、搬入、搬出）をさらに高めることができる。
【００１４】
災害時の避難所における私的空間の形成、イベントにおける仕切りの形成を初めとして、本発明によって、実用性の高い空間区画形成を行うことができる。しかも、軽量化が容易であるため、避難所での間仕切りを変更しやすい等、流動的な空間形成にも便利である。
【図面の簡単な説明】
【００１５】
【図１】本発明パーテーション構造実施例の運搬時状態を示す斜視図である。
【図２】実施例の幕体の収容状態を示す説明図である。
【図３】実施例の筐体の平面図である。
【図４】実施例の組立方法の一部を示す要部説明図である。
【図５】実施例の組立状態（完成状態）の一例を示す斜視図である。
【図６】実施例の蓋を内側から見た平面図である。
【図７】蓋を用いた実施例の組立状態（完成状態）の一例を示す斜視図である。
【図７−２】耳部を備えた実施例の組立状態（完成状態）の一例を示す斜視図である。
【図８】本発明パーテーション構造に係るバンドの別構成例を示す平面視説明図である。
【図９】開口用領域を備えた本発明パーテーション構造に係る幕体の例を示す正面視説明図である。
【図１０】本発明パーテーション構造により形成される空間の例を示す斜視説明図である。
【図１１】本発明パーテーション構造による空間区画例を示す平面視説明図である。
【発明を実施するための形態】
【００１６】
以下、図面により本発明を詳細に説明する。
図１は、本発明パーテーション構造実施例の運搬時状態を示す斜視図である。また、
図２は、実施例の幕体の収容状態を示す説明図、
図３は、実施例の筐体の平面図、
図４は、実施例の組立方法の一部を示す要部説明図、そして、
図５は、実施例の組立状態（完成状態）の一例を示す斜視図である。これらに示すように本パーテーション構造１０は、幕体１と、幕体１を巻いた状態で収容可能な長尺の筐体４と、筐体４の蓋７とからなるパーテーション構造１０であって、幕体１は筐体４とは分離していて、幕２およびこれに設けられた複数の支柱３Ａ、３Ｂ等からなり、筐体４の内側には各支柱３Ａ、３Ｂ等を立てるための支柱支持部５Ａ、５Ｂ等が設けられており、筐体４の底部には該支柱支持部５Ａ、５Ｂ等に支柱３Ａ、３Ｂ等を立てて幕体１を張った際の幕体１の倒れを防止する脚部６Ｘ、６Ｙ等が設けられていることを、主たる構成とする。
【００１７】
なお、本パーテーション構造１０は運搬・搬出入・保管に便利なよう、不使用時・運搬時等には筐体４と蓋７とを密着状態とすることが可能なように形成されることが望ましい。図１等に示した実施例では、密着状態とするための閉じ手段として、筐体４と蓋７とを外側から緊縛するバンド９を用いているが、もちろんこれに限定されるものではない。また、バンド９を用いる場合であっても、その数は任意である。ただし、緊縛の安定性のために二本以上とすることが望ましい。
【００１８】
また、支柱３Ａ等、それを立てるための支柱支持部５Ａ等、および幕体１の倒れを防止する脚部６Ｘ等はいずれも、最低二つが必要であるが、三つ以上設けることとしてもよい。また、本パーテーション構造１０を構成する各要素の材料・素材、サイズ等の仕様は、後述する各要素も含め、パーテーションとしての機能を満たせるものである限り、いかなる仕様であってもよい。たとえば、全体の軽量化のために、硬度のある合板や樹脂を筐体４、蓋７、支柱３Ａ等に用いてもよいし、幕２の素材選択も自由である。
【００１９】
かかる構成を有する本パーテーション構造１０の使用方法を説明する。まず、図１に示す収容状態（可搬状態）から蓋７を開けて、図２に示す収納状態の幕体１を筐体４から取出し、図３に示すように筐体４底部にある脚部６Ｘ等を幕体１倒れ防止可能な状態に準備し、図４に示すように支柱３Ａ、３Ｂ等を対応する支柱支持部５Ａ、５Ｂ等にそれぞれ立てることによって、図５に示すように、両端に支柱３Ａ、３Ｃが設けられた幕２が張られた状態を形成し、パーテーションとしての形態が完成する。パーテーション形成方法も本発明の範囲内である。
【００２０】
図示する実施例では、支柱３Ａ等は、最低必要な幕体１両端の３Ａ、３Ｃの他に、中央部の３Ｂが設けられており、合わせて三本設けられている構成である。また、脚部６Ｘ等は、上述したように三箇所以上に設ける構成としてももちろんよいが、実施例に示す構造を有する脚部６Ｘ等とした場合には、筐体４の両端部付近に計二箇所設けるだけで、十分な倒れ防止効果が得られ、少々の外力では倒れない、安定的な立設状態を維持することができる。
【００２１】
図３に示すように本パーテーション構造１０の脚部６Ｘ等は、筐体４の長手方向と交わる方向に回動可能に設けられた、長手方向を有する板とすることができる。かかる構成により、パーテーションとして組み立てる際には脚部６Ｘ等の長手方向を筐体４の長手方向と交わる方向になるように、たとえば直交するように回動させて、幕体１の倒れを防止し安定的に立たせるようにし、それ以外の時には、脚部６Ｘ等の長手方向を筐体４の長手方向と同じくなるように回動させれば、幕体１収納時、運搬・保管に便利である。
【００２２】
図３、４に示すように本パーテーション構造１０の支柱支持部５Ａ、５Ｂ等は、支柱３Ａ、３Ｂ等を直立させて嵌め込むための凹構造５３ａ、５３ｂ等を備えた構成とすることができる。かかる構成により、支柱３Ａ等の下端部をこれに対応する支柱支持部５Ａ等の凹構造５３ａ等に嵌め込むことで、支柱３Ａ等を簡単かつ確実に筐体４に立てることができる。この方式は、支柱３Ａ等の下端部と凹構造３５ａ等の形状を嵌合可能に形成することで、簡単に構成できる。なお、本発明における支柱支持部への支柱の立て方がこれに限定されるものではないが、かかる簡素な構造は本発明の方針に、より合致するものである。
【００２３】
図６は、実施例の蓋を内側から見た平面図である。また、
図７は、蓋を用いた実施例の組立状態（完成状態）の一例を示す斜視図である。これらに示すように本パーテーション構造１０の蓋７は、筐体４とは分離した構造とし、蓋７の内側には支柱３Ａ、３Ｂ等の上端側と連結して梁構造を形成可能なように形成された支柱受け部８Ａ、８Ｂ等が設けられた構成とすることができる。かかる構成により、パーテーション組み立てに蓋７も用いられるため、本パーテーション構造１０使用時における蓋７の保管場所・方法を考慮する必要がない。
【００２４】
また、蓋７によって梁構造が形成されるため、支柱３Ａ等の立設状態をより安定化することができる。なお、支柱３Ａ等を支柱受け部８Ａ等に連結させる方法は限定されないが、上述の支柱支持部５Ａ等における凹構造の方式を用いれば簡単かつ十分な作用効果を得ることができる。
【００２５】
図７−２は、耳部を備えた実施例の組立状態（完成状態）の一例を示す斜視図である。図示するように本発明パーテーション構造１１０には、その幕１２の少なくとも一方の側端部に張り出した耳部１２Ｌ等を設けるものとすることができる。かかる構成により、本パーテーション構造１１０を複数並べて用いる際の、隣接するパーテーション構造との間に生じる隙間を塞ぐことができ、それによってパーテーションの向こう側の視界を遮ったり、空気の流通を防ぐことができる。これは、たとえば災害時の避難所における利用等では、プライバシー保護や寒さ防止に効果がある。
【００２６】
なお、耳部１２Ｌ等は幕１２の一方側端部に設けても、あるいは図示するように両方に設けてもよい。また、耳部１２Ｌ等は幕１２と同一素材、または幕の材料たり得る別素材によって形成し、隙間塞ぎ効果を得るためには、
（ａ）同じく幕１２側端部に設ける適宜の連結手段（紐で結ぶ、フック構造、スナップボタンあるいは面ファスナーを用いる、等）によって、隣接するパーテーション構造の幕と連結する
（ｂ）クリップ、両面テープ等本パーテーション構造とは別の物品・連結手段を用いて、隣接するパーテーション構造の幕と連結する
等の方法を、適宜採ることができる。
【００２７】
一方、耳部１２Ｌ等を、筐体１４に収容できる形態であって、かつその形状を保持できる構造、たとえば木製、樹脂製、厚紙製等適宜材料による板構造によって形成する構成も、本発明の範囲内である。この場合は、組み立てればそのままで隙間塞ぎ効果を得られるため、隣接するパーテーション構造との間の連結は、敢えて必要ではない。
【００２８】
図８は、本発明パーテーション構造に係るバンドの別構成例を示す平面視説明図である。図１に示したように簡単な閉じ手段としては、筐体４と蓋７とを外側から緊縛するバンド９を用いることができるが、本パーテーション構造１０の使用時（組み立てた状態）においては、バンド９は無用であるため、解体・運搬時のために保管しておかなくてはならない。しかし、図８に示す例のようにバンド２９の一端が蓋２７に固定されている構成とすれば、バンド２９の別途保管を考慮せずに用いることができる。なお、図示しないが、バンドの一端を筐体に固定する構成でも、もちろんよい
【００２９】
図９は、開口用領域を備えた本発明パーテーション構造に係る幕体の例を示す正面視説明図である。図示するように本パーテーション構造に係る幕３２には、開口形成可能な開口用領域３０を設けた構成とすることができる。かかる構成とすることにより、本パーテーション構造を用いて仕切られた空間、区画された空間を形成した際、幕３２に開口部を設けることができ、これを通して幕３２のこちら側から反対側に人の通行や物の移動をすることができ、便利である。後掲図１１にも、開口用領域５３０を用いた空間区画例を示す。
【００３０】
図１０は、本発明パーテーション構造により形成される空間の例を示す斜視説明図である。図示するように、パーテーション構造４１０Ｐ等を一または複数用いて区画された空間も本発明の範囲内であり、それを得るための空間区画方法もまた、本発明の範囲内である。図では、パーテーション構造４１０Ｐ、４１０Ｑおよび４１０Ｒによって三方が囲まれた、区画された空間４５０が形成された例を示す。
【００３１】
なお本図では、蓋による梁部を設けないパーテーション構造例（図５参照）を用いた空間の例を示したが、梁部を設けるパーテーション構造例（図７参照）を用いても、もちろんよい。蓋による梁部を設ける場合の利点は上述のとおりだが、一方梁部を設けない場合には、たとえば、万一パーテーションが外力によって倒される場合の梁部落下およびそれによる被害の発生がない、パーテーションのこちら側からも向こう側からも見通しがよい、等の利点が挙げられる。また本図では、耳部（図７−２参照）を設けないパーテーション構造例を用いた空間の例を示したが、耳部付きのものを使用可能であることはいうまでもない。
【００３２】
なお、図の例のように三方もしくは二方、あるいは四方以上の複数の方向を幕体４１Ｐ等によって隔てられた場合のみならず、一または複数のパーテーション構造を直列させて一方向のみが隔てられた（仕切られた）場合も、本発明の区画に含むものとする。
【００３３】
図１１は、本発明パーテーション構造による空間区画例を示す平面視説明図である。図では、十一のパーテーション構造５１０Ｐ〜５１０Ｚおよび別構造物Ｋを用いて、二重構造の区画された空間５５０が形成された例を示す。このように、本発明のパーテーション構造のみならず、たとえば壁等の別構造物を用いて、区画された空間を形成することもできる。なお、パーテーション構造５１０Ｗには開口用領域５３０による開口部があり、これと、パーテーション構造５１０Ｔ、５１０Ｓとの間が、本区画された空間５５０の出入り口を形成している。
【産業上の利用可能性】
【００３４】
本発明のパーテーション構造等によれば、簡単な構造であって組立・解体作業を迅速に行うことができ、可搬性にも優れ、また低コストである上、取り扱いやすく便利である。また装置的要素を用いずに構成できるため軽量化に有利である。このようなことから、災害時の避難所やイベントでの空間の形成や配置変更にも便利である。したがって、行政、民間を問わず、関連する全分野において産業上利用性が高い発明である。
【符号の説明】
【００３５】
１、１１…幕体
２、１２、３２…幕
１２Ｌ、１２Ｒ…耳部
３０…開口用領域
３Ａ、３Ｂ、３Ｃ、１３Ａ、１３Ｂ、１３Ｃ、３３Ａ、３３Ｂ…支柱
４、１４…筐体
５Ａ、５Ｂ、５Ｃ…支柱支持部
５３ａ、５３ｂ、５３ｃ…凹構造
６Ｘ、６Ｙ、１６Ｘ、１６Ｙ…脚部
７、１７、２７…蓋
８Ａ、８Ｂ、８Ｃ…支柱受け部
９、２９…バンド
１０、１１０…パーテーション構造
【００３６】
４１Ｐ、４１Ｑ、４１Ｒ…幕体
４２Ｐ、４２Ｑ、４２Ｒ…幕
４４Ｐ、４４Ｑ、４４Ｒ…筐体
４６Ｐｘ、４６Ｑｘ、４６Ｑｙ、４６Ｒｘ、４６Ｒｙ…脚部
４１０Ｐ、４１０Ｑ、４１０Ｒ、５１０Ｐ、５１０Ｑ、５１０Ｒ、５１０Ｓ、５１０Ｔ、５１０Ｕ、５１０Ｖ、５１０Ｗ、５１０Ｘ、５１０Ｙ、５１０Ｚ…パーテーション構造
４５０、５５０…区画された空間
５３０…開口用領域
Ｋ…別構造物
【図１】
2016089396.tif 000003
【図２】
2016089396.tif 000004
【図３】
2016089396.tif 000005
【図４】
2016089396.tif 000006
【図５】
2016089396.tif 000007
【図６】
2016089396.tif 000008
【図７】
2016089396.tif 000009
【図７−２】
2016089396.tif 000010
【図８】
2016089396.tif 000011
【図９】
2016089396.tif 000012
【図１０】
2016089396.tif 000013
【図１１】
2016089396.tif 000014